(57)【要約】  紐状物を収納した筒状の収納パッケージであって、前記収納容器の底部の中心部に装着された筒状の芯棒を有し、前記紐状物は連続する複数のループ形状であり、前記紐状物の収納開始端が突出しており、前記複数の各ループは前記収納容器の軸周りに巻回中心をずらして積層される、紐状物の収納パッケージ。
2011155497.tif 000002
【特許請求の範囲】
【請求項１】
紐状物を収納した筒状の収納パッケージであって、
前記紐状物を収納する収納容器と、
前記収納容器の底部の中心部に装着された筒状の芯棒と、を有し、
前記紐状物は連続する複数のループ形状であり、
前記複数の各ループは前記収納容器の軸周りに巻回中心をずらして積層される、紐状物の収納パッケージ。
【請求項２】
前記連続する複数のループが実質的に同一形状である請求項１に記載の紐状物の収納パッケージ。
【請求項３】
前記複数のループを形成する紐状物が、前記収納容器に装着された芯棒を囲むように配置された、請求項１または２に記載の収納パッケージ。
【請求項４】
前記複数の各ループの少なくとも一部が、前記収納容器の芯棒外壁近傍、および前記収納容器の内壁面近傍を通るように配置された請求項１〜３のいずれか一項に記載の収納パッケージ。
【請求項５】
前記収納容器の芯棒外壁近傍が、前記芯棒外壁からの距離が収納容器の容器半径と該芯棒半径の差の３０％以内の領域であり、かつ、前記収納容器の内壁面近傍が収納容器の容器半径と芯棒半径の差の３０％以内の領域である請求項１〜４のいずれか一項に記載の収納パッケージ。
【請求項６】
前記複数の各ループの最少曲げ半径Ｒが、前記芯棒の半径以上である、請求項１〜５のいずれか一項に記載の収納パッケージ。
【請求項７】
前記収納容器の収納容器の最内周側で、前記紐状物のループ形状が交差する隣り合う２点間の距離をａ（ｍｍ）、前記紐状物の外径をｄ（ｍｍ）としたときに、ｄ＜ａ＜１０ｄの関係を満たす、請求項１〜６のいずれか一項に記載の収納パッケージ。
【請求項８】
前記筒状の芯棒の高さが、積層された紐状物の最も高い積層高さの１００〜１５０％である、請求項１〜７のいずれか一項に記載の収納パッケージ。
【請求項９】
前記紐状物が中空の紐である、請求項１〜８のいずれか一項に記載の収納パッケージ。
【請求項１０】
前記紐状物が中空の編紐である、請求項１〜９のいずれか一項に記載の収納パッケージ。
【請求項１１】
前記紐状物の収納開始端が、少なくとも前記積層された紐状物の最も高い積層高さより高い位置に配置されている、請求項１〜１０のいずれか一項に記載の収納パッケージ。
【請求項１２】
前記紐状物の収納開始端が前記収納容器の外部へ突出している、 請求項１１に記載の収納パッケージ。
【請求項１３】
回転する筒状の収納容器内に紐状物を一定速度で供給しながら、前記収納容器の回転数Ｒ（回転／分）を漸次増加させた後に漸次減少させるか、または、前記回転数Ｒを減少させた後に漸次増加させる、変動パターンを周期的に繰り返して、収納容器に紐状物を収納する方法であって、
前記収納容器が２回転する間に容器内に配置される紐状物同士が交差する箇所を生じさせ、回転数Ｒ（回転／分）の周期的変動の１周期Ｔ（秒）で形成される紐状物の配置軌跡を前記収納容器の回転方向もしくは回転方向の逆方向にずらし、１周期Ｔ（秒）における前記収納容器の平均回転数Ｒa（回転／分）が下記式（１）に示す条件を満たすように、紐状物の供給速度ｖ（ｍ／分）、１周期Ｔ（秒）および前記収納容器の回転数Ｒ（回転／分）を設定する紐状物の収納方法。
Ｒa   ＞  ｖ／Ｌ      （１）
（式（１）において、Ｌ（ｍ）は収納容器の内壁面側の周長である。）
【請求項１４】
収納容器の回転数Ｒ（回転／分）の変動パターンを、収納容器が１回転する際に形成される紐状物の配置軌跡の一部が、前記収納容器の芯棒外壁近傍と、収納容器の内壁面近傍とを通過するように設定する、請求項１３に記載の紐状物の収納方法。
【請求項１５】
芯棒外壁近傍が前記収納容器の半径と芯棒半径の差の３０％以内の領域であり、かつ、内壁面近傍が前記収納容器の半径と芯棒半径の差の３０％以内の領域である、請求項１４に記載の紐状物の収納方法。
【請求項１６】
Ｒaが、下記式（２）の条件を満たす、請求項１３〜１５のいずれか一項に記載の紐状粒の収納方法。
６ｖ／５Ｌ  ＜  Ｒa   ＜  ４ｖ／Ｌ      （２）
【請求項１７】
前記紐状物の配置軌跡の曲げ半径Ｒが、Ｌ／４π＜Ｒ＜Ｌ／２πの関係を満たすように設定する、請求項１３〜１６のいずれか一項に記載の紐状物の収納方法。
【請求項１８】
回転数Ｒ（回転／分）の周期的変動の１周期Ｔ（秒）で形成される紐状物の配置軌跡の始点と終点の距離をａ（ｍｍ）及び前記紐状物の外径をｄ（ｍｍ）としたときに、ｄ＜ａ＜１０ｄを満たす、請求項１３〜１７のいずれか一項に記載の紐状物の収納方法。
【請求項１９】
収納容器の回転数Ｒ（回転／分）の変動パターンを、収納容器が２回転する際に形成される紐状物の配置軌跡が収納容器の回転軸を囲むように設定する、請求項１３〜１８のいずれか一項に記載の紐状物の収納方法。
【請求項２０】
Ｒaが、下記式（３）の条件を満たす、請求項１３〜１９のいずれか一項に記載の紐状粒の収納方法。
６ｖ／５Ｌ  ＜  Ｒa   ＜  １２ｖ／５Ｌ      （３）
【請求項２１】
収納容器の回転数の変動幅をＲｗ（回転／分）としたときに、下記式（４）の条件を満たす、請求項１３〜２０のいずれか一項に記載の紐状物の収納方法。
０．６４Ｒa  ＜  Ｒｗ   ＜  ２Ｒa      （４）
【請求項２２】
紐状物を、前記収納容器の上方かつ内壁面付近から前記収納に供給する、請求項１３〜２１のいずれか一項に記載の紐状物の収納方法。
【請求項２３】
前記紐状物が中空の紐である、請求項１３〜２２のいずれか一項に記載の紐状物の収納方法。
【請求項２４】
前記紐状物が中空の編紐である、請求項１３〜２３のいずれか一項に記載の収納方法。
【発明の詳細な説明】
【技術分野】
【０００１】
本発明は、紐状物の収納パッケージ及び紐状物の収納方法に関する。
本願は、２０１０年６月７日に、日本に出願された特願２０１０−１３０３６５号に基づき優先権を主張し、その内容をここに援用する。
【背景技術】
【０００２】
筒状容器への紐状物の収納方法として、特許文献１には、円筒容器を回転させながら紐状物を一定速度で供給し、予め設定した回転速度パターンに従って円筒容器の回転速度を変動させて、紐状物を渦巻き状に配置させる方法が開示されている。この方法によれば、簡易な収納機構により紐状物の収納効率および収納安定性の向上を図ることができるとされている。
特許文献２，３には、円筒容器全体に線材を収納する線材巻取り機が開示されている。
具体的に、特許文献２に開示されている巻取り機においては、固定された中空円筒状の容器の中空部に線材を容器に巻き取らせる駆動装置が配置され、該駆動装置は、前記容器収納部分の上方で線材を送り出すキャプスタンを自転させながら、容器中心軸周りで公転させる機構となっている。さらに前記キャプスタンの回転軸の傾きを、前記公転の周期と異なる周期で変化させる首振り機構を備える。
特許文献３に開示されている巻取り機においては、一定速度で送り出される線材に対して、巻取り用キャリアと呼ばれる、線材を巻取り積層させる収納媒体を回転させるターンテーブルが設けられ、前記ターンテーブルが微小自転しながら、偏心公転する機構を有している。
特許文献２，３に記載の巻取り機によれば、前記容器内に線材を、円形状で各円形が容器の回転方向またはその反対方向にずれる軌跡で収納できる。このような収納では、容器内に均一に紐状物を収納できる。
【先行技術文献】
【特許文献】
【０００３】
【特許文献１】特開２００９−２６３０５２号公報
【特許文献２】特開平２−２２１０７２号公報
【特許文献３】特開昭６３−５７４７６号公報
【発明の概要】
【発明が解決しようとする課題】
【０００４】
特許文献１に開示された紐状物の収納方法では、紐状物が渦巻き状態に収納されるが、そのように収納された紐状物を収納容器から静止状態で引き出す際には、紐状物が絡まることがあった。これは、引き出された紐状物の撚りの大きさが渦巻き円の大きさによって異なり、捩れやすくなっているためと思われる。
また、特許文献２，３に開示された線材の収納機構では、１つの駆動系からいくつものギアやシャフトを介して動力を伝達して、他の回転を駆動させる機構となっており、複雑である。その上、収納形態を調整する際には、ギアを交換してギア比を調整する等の部材交換作業が必要になるという問題を有していた。
本発明の目的は、簡易な収納機構でも円形状で各円形が容器の回転方向またはその反対方向にずれる軌跡で紐状物を容器内に均一に収納でき、また、紐状物を静止状態で引き出す際に絡み等の不具合が発生しにくい紐状物の収納方法及び紐状物が収納容器に収納された収納パッケージを提供することにある。
【課題を解決するための手段】
【０００５】
［１］紐状物を収納した筒状の収納パッケージであって、
前記紐状物を収納する収納容器と、
前記収納容器の底部の中心部に装着された筒状の芯棒と、
を有し、
前記紐状物は連続する複数のループ形状であり、
前記複数の各ループは前記収納パッケージの軸周りに巻回中心をずらして積層される、紐状物の収納パッケージ。
［２］前記連続する複数のループが実質的に同一形状である、［１］に記載の紐状物の収納パッケージ。
［３］前記複数のループを形成する紐状物が、前記収納容器に装着された芯棒を囲むように配置された、[１]または[２]に記載の収納パッケージ。
［４］前記複数の各ループの少なくとも一部が、前記収納容器の芯棒外壁近傍、および前記収納容器の内壁面近傍を通るように配置された、［１］〜［３］のいずれか一項に記載の収納パッケージ。
［５］前記収納容器の芯棒外壁近傍が、前記芯棒外壁からの距離が収納容器の容器半径と該芯棒半径の差の３０％以内の領域であり、かつ、前記収納容器の内壁面近傍が収納容器の容器半径と芯棒半径の差の３０％以内の領域である、［１］〜［４］のいずれか一項に記載の収納パッケージ。
［６］前記複数の各ループの最少曲げ半径Ｒが、前記芯棒の半径以上である、［１］〜［５］のいずれか一項に記載の収納パッケージ。
［７］前記収納パッケージの収納容器の最内周側で、前記紐状物のループ形状が交差する隣り合う２点間の距離をａ（ｍｍ）、前記紐状物の外径をｄ（ｍｍ）としたときに、ｄ＜ａ＜１０ｄの関係を満たす、［１］〜［７］のいずれか一項に記載の収納パッケージ。
［８］前記筒状の芯棒の高さが、積層された紐状物の最も高い積層高さの１００〜１５０％である、［１］〜［７］のいずれか一項に記載の収納パッケージ。
［９］前記紐状物が中空の紐である、［１］〜［８］のいずれか一項に記載の収納パッケージ。
［１０］前記紐状物が中空の編紐である、［１］〜［９］のいずれか一項に記載の収納パッケージ。
［１１］前記紐状物の収納開始端が、少なくとも前記積層された紐状物の最も高い積層高さより高い位置に配置されている、[１]〜[１０]のいずれか一項に記載の収納パッケージ。
［１２］前記紐状物の収納開始端が前記収納容器の外部へ突出している、 [１１]に記載の収納パッケージ。
［１３］回転する筒状の収納容器内に紐状物を一定速度で供給しながら、前記収納容器の回転数Ｒ（回転／分）を漸次増加させた後に漸次減少させるか、または、前記回転数Ｒを減少させた後に漸次増加させる、変動パターンを周期的に繰り返して、収納容器に紐状物を収納する方法であって、
前記収納容器が２回転する間に容器内に配置される紐状物同士が交差する箇所を生じさせ、回転数Ｒ（回転／分）の周期的変動の１周期Ｔ（秒）で形成される紐状物の配置軌跡を前記収納容器の回転方向もしくは回転方向の逆方向にずらし、１周期Ｔ（秒）における前記収納容器の平均回転数Ｒa（回転／分）が下記式（１）に示す条件を満たすように、紐状物の供給速度ｖ（ｍ／分）、１周期Ｔ（秒）および前記収納容器の回転数Ｒ（回転／分）を設定する紐状物の収納方法。
Ｒa   ＞  ｖ／Ｌ      （１）
（式（１）において、Ｌ（ｍ）は収納容器の内壁面側の周長である。）
［１４］収納容器の回転数Ｒ（回転／分）の変動パターンを、収納容器が１回転する際に形成される紐状物の配置軌跡の一部が、前記収納容器の芯棒外壁近傍と、収納容器の内壁面近傍とを通過するように設定する、［１３］に記載の紐状物の収納方法。
［１５］芯棒外壁近傍が前記収納容器の半径と芯棒半径の差の３０％以内の領域であり、かつ、内壁面近傍が前記収納容器の半径と芯棒半径の差の３０％以内の領域である、［１４］に記載の紐状物の収納方法。
［１６］Ｒaが、下記式（２）の条件を満たす、［１３］〜［１５］のいずれか一項に記載の紐状粒の収納方法。
６ｖ／５Ｌ  ＜  Ｒa   ＜  ４ｖ／Ｌ      （２）
［１７］前記紐状物の配置軌跡の曲げ半径Ｒが、Ｌ／４π＜Ｒ＜Ｌ／２πの関係を満たすように設定する、［１３］〜［１６］のいずれか一項に記載の紐状物の収納方法。
［１８］回転数Ｒ（回転／分）の周期的変動の１周期Ｔ（秒）で形成される紐状物の配置軌跡の始点と終点の距離をａ（ｍｍ）及び前記紐状物の外径をｄ（ｍｍ）としたときに、ｄ＜ａ＜１０ｄを満たす、［１３］〜［１７］のいずれか一項に記載の紐状物の収納方法。
［１９］収納容器の回転数Ｒ（回転／分）の変動パターンを、収納容器が２回転する際に形成される紐状物の配置軌跡が収納容器の回転軸を囲むように設定する、［１３］〜［１８］のいずれか一項に記載の紐状物の収納方法。
［２０］Ｒaが、下記式（３）の条件を満たす、［１３］〜［１９］のいずれか一項に記載の紐状粒の収納方法。
６ｖ／５Ｌ  ＜  Ｒa   ＜  １２ｖ／５Ｌ      （３）
［２１］収納容器の回転数の変動幅をＲｗ（回転／分）としたときに、下記式（４）の条件を満たす、［１３］〜［２０］のいずれか一項に記載の紐状物の収納方法。
０．６４Ｒa  ＜  Ｒｗ   ＜  ２Ｒa      （４）
［２２］紐状物を、前記収納容器の上方かつ内壁面付近から前記収納容器に供給する、［１３］〜［２１］のいずれか一項に記載の紐状物の収納方法。
［２３］前記紐状物が中空の紐である、［１３］〜［２２］のいずれか一項に記載の紐状物の収納方法。
［２４］前記紐状物が中空の編紐である［１３］〜［２３］のいずれか一項に記載の収納方法。
【発明の効果】
【０００６】
本発明の紐状物の収納方法によれば、簡易な収納機構でも円形状で各円形が容器の回転方向またはその反対方向にずれる軌跡で紐状物を容器内に均一に収納でき、また、紐状物を静止状態で引き出す際に絡み等の不具合が発生しにくい。
【図面の簡単な説明】
【０００７】
【図１】本発明の紐状物の収納方法の一実施形態例に使用される収納装置を示す概略側面である。
【図２】図１に示す収納装置を構成する収納容器の縦断面図である。
【図３】本発明の紐状物の収納方法の一実施形態例における紐状物の配置軌跡を示す図である。
【図４】回転数Ｒの変動パターンの一例を示すグラフである。
【図５】紐状物の配置軌跡の他の形態を示す図である。
【図６】紐状物の配置軌跡の他の形態を示す図である。
【図７】回転数Ｒの変動パターンの他の例を示すグラフである。
【図８】図７に示す変動パターンで形成される紐状物の配置軌跡を示す図である。
【図９】回転数Ｒの変動パターンの他の例を示すグラフである。
【図１０】図９に示す変動パターンで形成される紐状物の配置軌跡を示す図である。
【図１１】実施例１における回転数の変動パターンを示すグラフである。
【図１２】比較例１における回転数の変動パターンを示すグラフである。
【図１３】比較例１における編紐の配置軌跡を示す図である。
【図１４】本発明の収納パッケージの縦断面図である。
【図１５】本発明の収納パッケージの他の形態を示す縦断面図である。
【図１６】紐状物の一部が配置される領域を示す図である。
【図１７】収納容器の最内周側で、紐状物のループ形状が交差する隣り合う２点間の距離を示す図である。
【発明を実施するための形態】
【０００８】
＜紐状物＞
本発明に用いる紐状物として、長手方向の中心軸線に直角な断面が略円形状で、内部に長手方向に沿った空間を１つ以上有している構造を有する中空の紐状物が好適に用いられる。紐状物の具体例としては、中空の組紐や編紐等マルチフィラメントから編まれた柔軟性の高いものが挙げられ、中でも、本発明の効果がとりわけ発揮される点で、例えば、中空の組紐や編紐等の中空の紐が好ましく、中空の編紐がより好ましい。
また、紐状物としては、中空のもの以外に、中実の紐状物を用いることができる。
また、紐状物として、濾過膜として使用される中空状多孔質膜を支持するための中空または紐状支持体を使用することもできる。
紐状物の最外径は特に限定されるものではないが、おおよそ１〜５ｍｍ程度の大きさが本発明には好適である。
【０００９】
＜収納装置＞
図１に、本発明の収納方法を行う収納装置の一実施形態例を示す。本例の収納装置１０は、紐状物１１を収納する収納容器１２と、該収納容器１２を回転させる回転テーブル１３と、紐状物１１の供給位置を固定する供給ガイド１４とを具備している。
【００１０】
（収納容器）
収納容器１２の外径は、紐状物１１の収納量、紐状物１１の引き出し形態等によって適宜選択される。
本実施形態例では、図２に示すように、収納容器１２の中心部に芯棒１５が取り付けられている。紐状物１１の柔軟性によっては、収納容器１２の中心部には紐状物１１が配置されない部分が生じる場合もあるが、芯棒１５が取り付けられていれば、その紐状物１１が配置されない部分を埋めることができ、収納形態がより安定する。
また、芯棒の高さは、積層された紐状物の最も高い積層高さの１００〜１５０％が好ましい。
ここで、「もっとも高い積層高さ」とは、収納容器１２の底面から紐状物１１が積層された最高点までの距離を意味する。
【００１１】
（回転テーブル）
収納容器１２を回転させる回転テーブル１３については、収納容器１２を容易に設置でき、回転数Ｒを周期的に変動させることができるものであれば特に限定されない。好ましくは、回転テーブル１３は、収納容器１２の回転数Ｒの変動パターンを予め設定でき、回転数Ｒの変動パターンのプログラムを入力可能なコントローラー機能を有した駆動方式のものである。
【００１２】
（供給ガイド）
本実施形態例では、供給ガイド１４は、収納容器１２の上方かつ収納容器１２の内壁面付近に取り付けられている。ここで、「内壁面付近」とは、内壁面から紐状物外径ａ（編紐の場合、約２．５ｍｍ）の約１０倍以内の範囲のことを意味する。このように供給ガイド１４が取り付けられていれば、紐状物１１を収納容器１２内により均一に収納できる。
供給ガイド１４は、紐状物１１を通すことができ、紐状物１１の供給位置を固定できる形態であれば特に限定はされないが、紐状物１１の外径よりも大きいリング状の形態が好ましい。さらには、リング状の表面はバリ等がない滑らかな形状であることがより好ましい。
【００１３】
＜収納方法＞
上記収納装置１０を用いた紐状物１１の収納方法の一実施形態例について説明する。
本実施形態例では、紐状物１１を、供給ガイド１４を経由して、回転する収納容器１２内に一定速度で供給しながら、収納容器１２の回転数Ｒ（回転／分）を漸次増加させた後に漸次減少させるか、または、前記回転数Ｒを減少させた後に漸次増加させる、前記変動パターンを周期的に繰り返して、収納容器１２に紐状物１１に収納する。その際、紐状物１１の供給速度ｖ（ｍ／分）、１周期Ｔ（秒）および収納容器１２の回転数Ｒ（回転／分）を、図３に示すように、収納容器１２が２回転する際に形成される紐状物１１の配置軌跡に、紐状物１１が交差する箇所Ｐを形成するように設定する。
また、紐状物１１の供給速度ｖ（ｍ／分）、１周期Ｔ（秒）および収納容器１２の回転数Ｒ（回転／分）を、回転数Ｒの周期的変動の１周期Ｔで形成される紐状物１１の配置軌跡を、収納容器１２の回転方向の逆方向にずらすように設定する。
また、紐状物１１の供給速度ｖ（ｍ／分）、１周期Ｔ（秒）および収納容器１２の回転数Ｒ（回転／分）を、収納容器１２の平均回転数Ｒa（回転／分）が下記式（１）に示す条件を満たすように設定する。
Ｒa   ＞  ｖ／Ｌ      （１）
なお、式（１）において、Ｌ（ｍ）は筒状容器（本実施形態例では、収納容器１２）の内壁面側の周長である。
【００１４】
平均回転数Ｒａは、下記式（２）：
６ｖ／５Ｌ  ＜  Ｒa   ＜  ４ｖ／Ｌ          （２）
を満たすように設定することが好ましく、下記式（３）：
６ｖ／５Ｌ  ＜  Ｒa   ＜  １２ｖ／５Ｌ      （３）
を満たすように設定することがより好ましい。
式（２）の下限は、収納容器が１回転する間に、紐状物が最大の長さで振込まれる場合、すなわち、最低平均回転数であり、式（２）の上限は、収納容器が１回転する間に、紐状物が最少の長さで振込まれる場合、すなわち、最高平均回転数である。
式（３）の下限は、式（２）と同じ値であり、式（３）の上限は、収納容器が１回転する間に、１つのループが必ず容器中心を囲む形状であるときの紐状物が最小の長さで振り込まれる場合の最高平均回転数である。
【００１５】
回転する収納容器１２内に一定速度で供給しながら、図４に示すように、収納容器１２の回転数Ｒを増加または減少させる変動パターンを周期的に繰り返すことにより、紐状物１１が配置される収納容器１２の円周方向の位置を変化させることができる。
本発明では、回転数Ｒを高くして紐状物の円弧の半径を小さくし、回転数Ｒを低くして紐状物１１の円弧の半径を大きくすることにより、紐状物１１の配置軌跡を、回転軸から偏芯した円形状軌跡にすることができる。例えば、図３に示すような、円形状で、その円形内に芯棒１５が配置された配置軌跡を形成できる。
【００１６】
また、収納容器１２の回転数Ｒ（回転／分）の変動パターンの好ましい態様は、収納容器１２が１回転する際に形成される紐状物１１の配置軌跡の一部が、図１６に示すように、収納容器の芯棒外壁近傍３１と、収納容器の内壁面近傍３２とを通過するように設定する。ここで、「芯棒外壁近傍」としては、芯棒外壁からの距離ｄ２が、収納容器の半径と芯棒半径の差ｄ１の３０％以内であることが好ましい。また、「内壁面近傍」としては、収納容器内壁からの距離ｄ３が、収納容器の半径と芯棒半径の差ｄ１の３０％以内であることが好ましい。
「収納容器の容器半径」または「収納容器の半径」とは、収納容器１２の中心部から収納容器の内壁面までの距離を意味する。
収納容器１２が１回転する際に形成される紐状物１１の配置軌跡の一部が、芯棒外壁からの距離ｄ２が、収納容器の半径と芯棒半径の差ｄ１の３０％以内であり、かつ、収納容器内壁からの距離ｄ３が、収納容器の半径と芯棒半径の差ｄ１の３０％以内であるように、回転数Ｒ（回転／分）の変動パターンを設定することにより、収納容器１２に紐状物をより均一に収納できる。
なお、図３では、ｄ２及びｄ３が、それぞれ、ｄ１の０〜３０％の範囲を通過する場合を示している。
紐状物１１の配置軌跡の一部が、中央領域１２ａと外周領域１２ｂとを通過すれば、収納容器１２の全体に、さらにより均一に紐状物１１を収納できる。
【００１７】
また、本実施形態例では、収納容器１２の回転数Ｒ（回転／分）の変動パターンは、収納容器１２が２回転する際に形成される紐状物１１の配置軌跡が収納容器１２の回転軸Ｃを囲むように設定する。収納容器１２が２回転する際に形成される紐状物１１の配置軌跡が収納容器１２の回転軸Ｃを囲めば、容器１２に芯棒１５が取り付けられている場合には、収納形態が安定しやすくなる。また、容器１２に紐状物１１を収納する際に容器１回転あたりに収納する紐状物１１の長さを長くとれるため、単位長さあたりの紐状物１１の拠りが小さくなり、容器１２を静置した状態で紐状物１１を引き出す際に、絡みがより発生しにくくなる。
【００１８】
また、収納効率の点から、１周期Ｔで形成される紐状物１１の円形状の始点と終点の距離をａ（ｍｍ）とし、紐状物１１の外径ｄ（ｍｍ）としたときに、ｄ＜ａ＜１０ｄの条件を満たすように１周期Ｔを設定することが好ましい。ｄ＜ａであれば、隣り合うループが高さ方向への積層されることを抑制でき、また、ａ＜１０ｄであれば、収納パッケージに紐状物を密な状態で収納できる。
【００１９】
（回転数Ｒの変動パターンの設定）
図３に示す配置軌跡にするための回転数Ｒの変動パターンは、以下の方法で設定することができる。
まず、回転数Ｒの変動パターンを設定するにあたって、回転数Ｒの変動パターンの平均回転数Ｒaを設定する。
そのために、収納容器１２の１回転あたりの紐状物１１の収納長さを求める。図３に示す配置軌跡では、１つの円形における紐状物１１の長さが、収納容器１２の１回転あたりの紐状物１１の収納長さに相当する。
そして、模擬的に、得ようとする紐状物１１の円形を１つ形成し、その円周長さを測定し、その測定値より、収納容器１２の１回転あたりの紐状物１１の収納長さＬｒ（ｍ／回転）を求める。
また、この収納長さＬｒ（ｍ／回転）、紐状物１１の供給速度ｖ（ｍ／分）より平均回転数Ｒa（回転／分）を求める。具体的には、Ｒa ＝ｖ／Ｌｒの式より求める。
【００２０】
次に、回転数Ｒの周期的変動の１周期Ｔ（図４参照）を決定する。
そのためには、上記のように決定した平均回転数Ｒａから容器１回転あたりの時間（回転周期Ｔａ）を、Ｔａ＝６０／Ｒａの式から求める。
また、収納容器１２の１回転で形成される紐状物１１の円形状の配置軌跡と、次の収納容器１２の１回転で形成される円形状の配置軌跡とのずれ角度を決めておく。このときには、暫定的に周期Ｔを決定するために、図３に示すように形成された紐状物１１の配置形状から見積もって、暫定的にずれ角度を決めればよい。ずれ角度は、収納効率の観点からは、できるだけ小さい角度とすることが好ましいが、ずれ角度を小さくし過ぎると、紐状物１１の積み重なり高さが大きくなり、かえって収納効率を低下させるおそれがある。そのため、収納状態を見ながら、ずれ角度を適宜修正することが好ましい。
ずれ角度△θ（°）を生じさせるための時間△Ｔ（秒）は、△Ｔ＝Ｔａ・△θ／３６０（°）の式より求められる。
そして、１周期Ｔを、Ｔａ＋△Ｔとする。したがって、１周期Ｔは、Ｔａ＋Ｔａ・△θ／３６０で求めることができる。
なお、ΔＴ（秒）が０秒であると、Ｔ＝Ｔａとなり、回転数Ｒの周期的変動の１周期における収納容器１２の回転角度が３６０°となるため、紐状物１１の円形状の配置軌跡が１周期Ｔ毎にずれなくなる。この場合は、図３に示すような、円形が少しずつずれるような配置軌跡にはならない。したがって、△Ｔが０であることはない。
【００２１】
さらに、回転数Ｒの変動幅を決定する。
回転数Ｒの変動幅が大きくなるほど、紐状物１１の軌跡は収納容器１２の回転軸から大きく偏心したものとなり、回転数Ｒの変動幅が小さいほど、偏心状態ではなくなり、変動幅が０であると、紐状物１１の軌跡は回転軸Ｃを中心としたものとなる。
その変動幅は、紐状物１１の柔軟性や供給速度にも依存するため、目的とする配置軌跡が同じであっても、一義的には決定できず、紐状物１１の柔軟性や供給速度に応じて適宜選択する必要がある。
そのため、まず、暫定的に回転数Ｒの変動幅を設定し、その回転数Ｒの変動パターン（平均回転数はＲa、１周期はＴとする。）における紐状物１１の軌跡を確認する。得られた軌跡が回転軸Ｃの中心に近くにあり、回転軸Ｃから遠ざけたい場合には回転数Ｒの変動幅を大きくし、得られた軌跡が回転軸の中心から遠くにあり、回転軸Ｃに近づけたい場合には回転数Ｒの変動幅を小さくする。その後、再び紐状物１１の軌跡を確認し、所望の軌跡と異なる場合には変動幅を調整する。このような変動幅の調整を繰り返すことにより、変動幅を決定する。
【００２２】
また、必要に応じて、収納効率の観点から、１周期Ｔをさらに微調整してもよい。すなわち、△Ｔ（秒）を小さくする微修正をすることにより、ずれ角度△θ（°）を小さくでき、収納効率をより高めることができる。
以上のように、平均回転数Ｒａ、１周期Ｔ、回転数Ｒの変動幅を決定して、回転数Ｒの変動パターンを設定する。
【００２３】
回転数Ｒの変動幅をＲｗ（回転／分）としたときに、Ｒｗが、下記式（４）：
０．６４Ｒa  ＜  Ｒｗ   ＜  ２Ｒa      （４）
の条件を満たすことが好ましい。
変動幅Ｒｗが０．６４Ｒaより小さいと、紐状物のループが偏芯せず、芯棒外壁近傍あるいは容器内壁近傍に配置できなくなる懸念があり、また、２Ｒaよりも大きくなると、紐状物のループが収納パッケージ内にきれいに収まらなくなる懸念が生じる。
【００２４】
なお、収納容器１２の回転は、回転テーブルを駆動するモータの回転によるものであるが、一般に、モータの回転数は滑らかに変動させることが困難である。したがって、上記のようにして得た回転数Ｒの変動パターンに厳密に追従しなくてもよく、この変動パターンを目標値とし、ステップ状に回転数Ｒを変動させればよい。
【００２５】
また、設定した回転数Ｒの変動パターンと、実際の回転数Ｒの変動パターンとは異なることも考えられる。ずれ角度△θが小さい場合には、目標の変動パターンと異なってしまうと、大きな影響が生じることがある。そこで、収納容器１２の回転周期Ｔａを実測し、目標の回転パターンになっていない場合には、平均回転数Ｒａを微調整することが好ましい。
【００２６】
上記のように、収納容器１２が２回転する際に形成される紐状物１１の配置軌跡に、紐状物１１が交差する箇所を生じさせ、１周期Ｔ（秒）で形成される紐状物１１の配置軌跡を収納容器１２の回転方向の逆方向にずらし、平均回転数Ｒa（回転／分）がＲa＞ｖ／Ｌを満たす本実施形態例の紐状物の製造方法では、簡易な収納機構でも円形状で各円形が収納容器１２の回転方向の逆方向にずれる軌跡で紐状物１１を収納容器１２内に均一に収納できる。また、収納容器１２から紐状物１１を静止状態で引き出す際の撚りが小さいため、捩れが抑制され、絡み等の不具合発生を防止できる。なお、紐状物１１の配置軌跡に、紐状物１１が交差する箇所を生じない場合、平均回転数Ｒa（回転／分）がＲa＞ｖ／Ｌを満たさない場合には、紐状物１１を引き出す際の不具合を防止できない。紐状物１１の円形の軌跡をずらさない場合には、均一な収納が困難になる。
【００２７】
（収納パッケージ）
図１４に、本発明に係る紐状物を収納した収納パッケージの一形態例を示す。
本発明に係る収納パッケージ２０は、収納容器１２と収納容器１２の底部の中心部に装着された筒状の芯棒１５を有している。収納容器１２には、紐状物１１が連続する複数のループ形状をなして、各ループが芯棒１５周りに巻回中心をずらして積層された状態で収納されている。
積層された紐状物の複数のループ形状は実質的に同一形状であることが好ましい。
ここで、「実質的に同一形状」とは、収納容器１２に収納される紐状物１１が連続する複数のループ形状をなして、各ループが芯棒１５周りに巻回中心をずらして積層されている状態であればよく、紐状物１１の各ループ形状が完全に同一でない形状をも含むことを意味する。
複数のループを形成する紐状物１１は、収納パッケージ２０に装着された芯棒１５を囲むように配置されていることが好ましく、
複数の各ループの少なくとも一部が、前記芯棒外壁近傍、および前記収納容器の内壁面近傍を通るように配置されていることがより好ましい。
ここで、収納パッケージ２０は、以下（１）〜（３）の構成を有する。
（１）収納容器１２
（２）収納容器１２の底部の中心部に装着された筒状の芯棒１５
（３）連続する複数のループ形状をなした紐状物１１
また、「芯棒外壁近傍」及び「内壁面近傍」は、前記定義と同じである。
「芯棒を囲むように配置された」とは、積層された紐状物１１が芯棒を囲んで複数のループ形状を形成していることを意味する。
「前記芯棒外壁近傍、および前記収納パーケージの内壁面近傍を通るように配置されている」とは、積層された複数のループ形状をなした紐状物１１の一部が芯棒外壁近傍と収納容器１２の内壁面近傍の領域を通っていることを意味する。
また、「芯棒外壁」とは、芯棒１５の外周面を意味する。
このように配置することで、収納された紐状物が荷崩れを起こしにくくなる。
また、紐状物の収納開始端２３は少なくとも前記積層された紐状物の最も高い積層高さより高い位置に配置されているのが好ましく、収納容器１２から外部へ突出しているのがより好ましい。こうすることで、次の収納容器に収納された紐状物との紐継ぎがし易くなる。
ここで、「収納開始端」とは、１つの収納パッケージ２０に収納された紐状物１１の末端であって、次の容器に収納される紐状物と紐継ぎされる部位を意味する。
【００２８】
紐状物の外径としては、０．５ｍｍ〜５．０ｍｍが好ましい。
収納容器の内径としては、４００ｍｍ〜５００ｍｍが好ましい。
収納容器の高さとしては、５００ｍｍ〜１０００ｍｍが好ましい。
芯棒の外径としては、１００ｍｍ〜１５０ｍｍが好ましい。
【００２９】
本発明に係る収納パッケージは、収納容器の上部に蓋体を具備していてもよい。
図１５に蓋体を有した収納パッケージ３０を示す。本発明に係る収納パッケージ３０は、収納容器１２の底部の中心部に装着された筒状の芯棒１５を有している。収納容器１２には、紐状物１１が連続する複数のループ形状をなして、各ループが芯棒１５周りに巻回中心をずらして積層された状態で収納されている。さらに、収納容器１２はその上部に蓋体２５を有している。紐状物の収納開始端２３が、収納容器２１の内壁面を通って蓋体からはみ出していてもよい。このように配置することで、次の収納容器に収納された紐状物との紐継ぎがし易くなる。
【００３０】
収納パッケージに収納される紐状物の複数の各ループの最少曲げ半径Ｒが、芯棒１５の半径以上であることが好ましい。このように設定することで、引き出し時の拠り状態が均一となり、紐状物に曲げ癖が残りにくくなる。
複数のループの曲げ半径Ｒは、ループの始点から終点まで一定であるか、または変化してもよい。
【００３１】
本発明に係る収納パッケージ２０または３０において、図１７に示すように、収納容器１２の最内周側で、紐状物１１のループ形状が交差する隣り合う２点（Ｐ１およびＰ２）の距離をａ（ｍｍ）および紐状物１１の外径をｄ（ｍｍ）としたときに、ｄ＜ａ＜１０ｄの関係を満たすことが好ましい。
ここで、「収納容器１２の最内周側」とは、収納容器１２の中心からの距離が最も近い距離にある部分を意味する。
ｄ＜ａであれば隣り合うループが高さ方向への積層されることを抑制でき、また、ａ＜１０ｄであれば、収納容器１２に紐状物１１を密な状態で収納できる。
【００３２】
なお、本発明は、上記実施形態例に限定されない。例えば、図３では、紐状物１１の配置軌跡を、回転軸から偏芯した円形状の軌跡を示しているが、円形状には限られない。
また、図５に示すように、紐状物１１の配置軌跡は、外周領域１２ｂを通過するが、中央領域１２ａを通過しない軌跡であっても構わない。
また、図６に示すように、収納容器１２が２回転する際に形成される紐状物１１の配置軌跡が収納容器１２の回転軸Ｃを囲まなくても構わない。
また、回転数Ｒの変動パターンとしては、図７に示すように、回転数Ｒの周期的変動の２周期２Ｔの間に収納容器１２が１回転以上するパターンであってもよい。回転数Ｒの周期的変動の２周期２Ｔの間に収納容器１２が１回転以上するパターンでは、図８に示すような、楕円の配置軌跡を形成できる。
また、図９に示すように、回転数Ｒの周期的変動の３周期３Ｔの間に収納容器１２が２回転以上するパターンであってもよい。回転数Ｒの周期的変動の３周期３Ｔの間に収納容器１２が２回転以上するパターンでは、図１０に示すような、三つ葉型の配置軌跡を形成できる。
紐状物１１の円形の軌跡は、収納容器１２の回転方向にずらすこともできる。その場合には、回転数Ｒの周期的変動の１周期ＴをＴａ−△Ｔ、すなわちＴａ−Ｔａ・△θ／３６０とする。
【００３３】
また、本発明では、供給ガイド１４が、収納容器１２の上方かつ収納容器１２の内壁面付近に取り付けられていなくてもよい。例えば、収納容器１２の上方で回転軸の中心近傍に取り付けられていてもよい。
また、本発明では、容器の形状は、円筒に限らず、底面が多角形（四角形、六角形、八角形等）の筒状の容器であっても構わない。
また、収納容器に装着された芯棒の形状は、円筒状が好ましいが、円筒状に限られない。
【実施例】
【００３４】
以下、本発明を実施例により具体的に説明するが、本発明はこれらに限定されるものではない。
収納する紐状物として、ポリエステル原糸（南亜製、「８４ｄｔｅｘ−７２ｆｉｌ」）を５本束ねた状態で丸編された、外径約２．５ｍｍ、内径約１．８ｍｍの編紐を使用した。この編紐を、１００ｍ／時間の速度で連続的に製紐しながら容器に供給し、収納することとした。
収納装置としては、図１に示す構成のものを用いた。収納容器１２としては、内径約４５０ｍｍ、高さ８２０ｍｍの内容積の中心部に、外径約１３０ｍｍの芯棒１５を取り付けた構造の円筒形のペーパードラムを使用した。
回転テーブル１３は、０．４〜２０回転／分の範囲で制御可能なブラシレスＤＣモータ（オリエンタル社製）駆動により回転する構造のものを使用した。回転数Ｒは、シーケンサー内に変動パターンプログラムをあらかじめ入力しておき、起動ボタンを押すと同時にシーケンサーから回転数Ｒの変動パターンに応じて回転数指令がモータードライバーへ出力されるシステムにより変動させた。
供給ガイド１４としては、孔径約６ｍｍのスネールガイド（湯浅糸道工業社製）を使用した。その供給ガイド１４は、収納容器１２の上方かつ収納容器１２の内壁面付近に取り付けた。これにより、供給ガイド１４を通して垂れ落ちた状態にある編紐が、収納容器１２の内壁面にほぼ接するようにした。【００３５】
＜実施例１＞
上述の収納装置１０を用い、収納容器１２が２回転する際に形成される編紐の配置軌跡に、図３に示すように、編紐が２回交差する箇所が生じるように、かつ１周期Ｔで形成される編紐の配置軌跡が円形状でその円形が容器回転方向と逆方向にずれるように、周期Ｔおよび回転数Ｒを設定した。具体的には、図１１に示すステップ状の回転数Ｒの変動パターン（１周期Ｔ：３４秒、平均回転数Ｒａ：１．７５回転／分）を設定した。ここで、筒状容器の内壁面側の周長Ｌは０.４５ｍ×π≒１.４１ｍであり、編紐の供給速度ｖの１００ｍ／時間を１分あたりに換算すると１.６７ｍ／分となる。したがって、ｖ／Ｌ≒１.１８／分となり、平均回転数Ｒａ＝１.７５＞ｖ／Ｌとなる。
このような回転数Ｒの変動パターンで、収納容器１２を回転させながら編紐（紐状物）１１を収納容器１２内に収納した。その結果、図３に示すような配置軌跡で、約１００時間の収納時間で約１００００ｍの量の編紐を収納できた。また、本例では、収納容器１２が１回転する際に形成される紐状物１１の配置軌跡が中央領域と外周領域とを通過し、収納容器１２が２回転する際に形成される紐状物１１の配置軌跡が収納容器の回転軸Ｃを囲む軌跡になっている。
この収納形態は崩れにくく、また、静止状態の収納容器１２から編紐を１０ｍ／分の速度で引き出したところ、絡みの発生はなく、安定した状態で引き出すことができた。【００３６】
＜比較例１＞
上述の収納装置１０を用い、収納容器１２が２回転する際に形成される編紐の配置軌跡が、編紐が交差する箇所が生じないように、かつ１周期Ｔで形成される編紐の配置軌跡が渦巻き状になるように、周期Ｔおよび回転数Ｒを設定した。具体的には、図１２に示すステップ状の回転数Ｒの変動パターン（１周期Ｔ：５２分、平均回転数Ｒａ：２．７回転／分）を設定した。ここで、筒状容器の内壁面側の周長Ｌは０.４５ｍ×π≒１.４１ｍであり、編紐の供給速度ｖの１００ｍ／時間を１分あたりに換算すると、１.６７ｍ／となる。したがって、ｖ／Ｌ≒１.１８／分となり、平均回転数Ｒａ＝２.７＞ｖ／Ｌとなる。
このような回転数Ｒの変動パターンで、収納容器１２を回転させながら編紐（紐状物）１１を収納容器１２内に収納した。その結果、図１３に示すように、芯棒１５を軸とした渦巻き状に編紐を配置することができた。また、約１００時間の収納時間で約１００００ｍの量の編紐を収納できた。
この収納では、収納容器１２の内壁面付近あるいは芯棒１５付近にて部分的に隙間が形成され、その部分に編紐が落ち込んでいる収納状態になっていた。そのため、静止状態の収納容器から編紐を１０ｍ／分の速度で引き出したところ、引っ掛かって円滑に編紐を引き出せなくなることがあった。また、渦巻き状の配置では、引き出される際の撚りが大きくなり、捩れた状態で編紐が引き出されるため、途中のガイドから外れそうになったり、引っ掛かりそうになったりする状況が見られた。
【産業上の利用可能性】
【００３７】
本発明に係る紐状物の収納パッケージは、紐状物を、連続する複数のループ形状をなし、かつ、各ループが巻回中心をずらして積層した状態で収納容器に収納することで、紐状物を均一に収納でき、また、紐状物を静止状態で引き出す際に、絡み等の不具合が発生しにくくなるため、例えば、中空状の紐状物を収納するのに好適に用いられる。
【符号の説明】
【００３８】
１０  収納装置
１１  紐状物
１２  収納容器
１２ａ  中央領域
１２ｂ  外周領域
１３  回転テーブル
１４  供給ガイド
１５  芯棒
２０  収納パッケージ
２２  積層された紐状物
２３  収納開始端
２５  蓋体
３０  収納パッケージ
【図１】
2011155497.tif 000003
【図２】
2011155497.tif 000004
【図３】
2011155497.tif 000005
【図４】
2011155497.tif 000006
【図５】
2011155497.tif 000007
【図６】
2011155497.tif 000008
【図７】
2011155497.tif 000009
【図８】
2011155497.tif 000010
【図９】
2011155497.tif 000011
【図１０】
2011155497.tif 000012
【図１１】
2011155497.tif 000013
【図１２】
2011155497.tif 000014
【図１３】
2011155497.tif 000015
【図１４】
2011155497.tif 000016
【図１５】
2011155497.tif 000017
【図１６】
2011155497.tif 000018
【図１７】
2011155497.tif 000019
【手続補正書】
【提出日】平成24年12月4日(2012.12.4)
【手続補正１】
【補正対象書類名】特許請求の範囲
【補正対象項目名】全文
【補正方法】変更
【補正の内容】
【特許請求の範囲】
【請求項１】
中空の組紐または中空の編紐からなる紐状物を収納した筒状の収納パッケージであって、
前記紐状物を収納する収納容器と、
前記収納容器の底部の中心部に装着された筒状の芯棒と、を有し、
前記紐状物は連続する複数のループ形状であり、
前記複数の各ループは前記収納容器の軸周りに巻回中心をずらして積層され、
前記連続する複数のループは実質的に同一形状であり、前記複数の各ループの少なくとも一部が、前記収納容器の芯棒外壁近傍、および前記収納容器の内壁面近傍を通るように配置され、前記複数のループを形成する紐状物は、前記収納容器に装着された芯棒を囲むように配置されている、紐状物の収納パッケージ。
【請求項２】
前記収納容器の芯棒外壁近傍が、前記芯棒外壁からの距離が収納容器の容器半径と該芯棒半径の差の３０％以内の領域であり、かつ、前記収納容器の内壁面近傍が収納容器の容器半径と芯棒半径の差の３０％以内の領域である請求項１に記載の収納パッケージ。
【請求項３】
前記複数の各ループの最少曲げ半径Ｒが、前記芯棒の半径以上である、請求項１または２に記載の収納パッケージ。
【請求項４】
前記収納容器の収納容器の最内周側で、前記紐状物のループ形状が交差する隣り合う２点間の距離をａ（ｍｍ）、前記紐状物の外径をｄ（ｍｍ）としたときに、ｄ＜ａ＜１０ｄの関係を満たす、請求項１〜３のいずれか一項に記載の収納パッケージ。
【請求項５】
前記筒状の芯棒の高さが、積層された紐状物の最も高い積層高さの１００〜１５０％である、請求項１〜４のいずれか一項に記載の収納パッケージ。
【請求項６】
前記紐状物の収納開始端が、少なくとも前記積層された紐状物の最も高い積層高さより高い位置に配置されている、請求項１〜５のいずれか一項に記載の収納パッケージ。
【請求項７】
前記紐状物の収納開始端が前記収納容器の外部へ突出している、 請求項６に記載の収納パッケージ。
【請求項８】
回転する筒状の収納容器内に紐状物を一定速度で供給しながら、前記収納容器の回転数Ｒ（回転／分）を漸次増加させた後に漸次減少させるか、または、前記回転数Ｒを減少させた後に漸次増加させる、変動パターンを周期的に繰り返して、収納容器に紐状物を収納する方法であって、
前記収納容器が２回転する間に容器内に配置される紐状物同士が交差する箇所を生じさせ、回転数Ｒ（回転／分）の周期的変動の１周期Ｔ（秒）で形成される紐状物の配置軌跡を前記収納容器の回転方向もしくは回転方向の逆方向にずらし、１周期Ｔ（秒）における前記収納容器の平均回転数Ｒa（回転／分）が下記式（１）に示す条件を満たすように、紐状物の供給速度ｖ（ｍ／分）、１周期Ｔ（秒）および前記収納容器の回転数Ｒ（回転／分）を設定する紐状物の収納方法。
Ｒa   ＞  ｖ／Ｌ      （１）
（式（１）において、Ｌ（ｍ）は収納容器の内壁面側の周長である。）
【請求項９】
収納容器の回転数Ｒ（回転／分）の変動パターンを、収納容器が１回転する際に形成される紐状物の配置軌跡の一部が、前記収納容器の芯棒外壁近傍と、収納容器の内壁面近傍とを通過するように設定する、請求項８に記載の紐状物の収納方法。
【請求項１０】
芯棒外壁近傍が前記収納容器の半径と芯棒半径の差の３０％以内の領域であり、かつ、内壁面近傍が前記収納容器の半径と芯棒半径の差の３０％以内の領域である、請求項９に記載の紐状物の収納方法。
【請求項１１】
Ｒaが、下記式（２）の条件を満たす、請求項８〜１０のいずれか一項に記載の紐状物の収納方法。
６ｖ／５Ｌ  ＜  Ｒa   ＜  ４ｖ／Ｌ      （２）
【請求項１２】
前記紐状物の配置軌跡の曲げ半径Ｒが、Ｌ／４π＜Ｒ＜Ｌ／２πの関係を満たすように設定する、請求項８〜１１のいずれか一項に記載の紐状物の収納方法。
【請求項１３】
回転数Ｒ（回転／分）の周期的変動の１周期Ｔ（秒）で形成される紐状物の配置軌跡の始点と終点の距離をａ（ｍｍ）及び前記紐状物の外径をｄ（ｍｍ）としたときに、ｄ＜ａ＜１０ｄを満たす、請求項８〜１２のいずれか一項に記載の紐状物の収納方法。
【請求項１４】
収納容器の回転数Ｒ（回転／分）の変動パターンを、収納容器が２回転する際に形成される紐状物の配置軌跡が収納容器の回転軸を囲むように設定する、請求項８〜１３のいずれか一項に記載の紐状物の収納方法。
【請求項１５】
Ｒaが、下記式（３）の条件を満たす、請求項８〜１４のいずれか一項に記載の紐状物の収納方法。
６ｖ／５Ｌ  ＜  Ｒa   ＜  １２ｖ／５Ｌ      （３）
【請求項１６】
収納容器の回転数の変動幅をＲｗ（回転／分）としたときに、下記式（４）の条件を満たす、請求項８〜１５のいずれか一項に記載の紐状物の収納方法。
０．６４Ｒa  ＜  Ｒｗ   ＜  ２Ｒa      （４）
【請求項１７】
紐状物を、前記収納容器の上方かつ内壁面付近から前記収納に供給する、請求項８〜１６のいずれか一項に記載の紐状物の収納方法。
【請求項１８】
前記紐状物が中空の紐である、請求項８〜１７のいずれか一項に記載の紐状物の収納方法。
【請求項１９】
前記紐状物が中空の編紐である、請求項８〜１８のいずれか一項に記載の紐状物の収納方法。
【手続補正２】
【補正対象書類名】明細書
【補正対象項目名】０００５
【補正方法】変更
【補正の内容】
【０００５】
［１］中空の組紐または中空の編紐からなる紐状物を収納した筒状の収納パッケージであって、
前記紐状物を収納する収納容器と、
前記収納容器の底部の中心部に装着された筒状の芯棒と、
を有し、
前記紐状物は連続する複数のループ形状であり、
前記複数の各ループは前記収納パッケージの軸周りに巻回中心をずらして積層され、
前記連続する複数のループは実質的に同一形状であり、前記複数の各ループの少なくとも一部が、前記収納容器の芯棒外壁近傍、および前記収納容器の内壁面近傍を通るように配置され、前記複数のループを形成する紐状物は、前記収納容器に装着された芯棒を囲むように配置されている、紐状物の収納パッケージ。
［２］前記収納容器の芯棒外壁近傍が、前記芯棒外壁からの距離が収納容器の容器半径と該芯棒半径の差の３０％以内の領域であり、かつ、前記収納容器の内壁面近傍が収納容器の容器半径と芯棒半径の差の３０％以内の領域である、［１］に記載の収納パッケージ。
［３］前記複数の各ループの最少曲げ半径Ｒが、前記芯棒の半径以上である、［１］または［２］に記載の収納パッケージ。
［４］前記収納パッケージの収納容器の最内周側で、前記紐状物のループ形状が交差する隣り合う２点間の距離をａ（ｍｍ）、前記紐状物の外径をｄ（ｍｍ）としたときに、ｄ＜ａ＜１０ｄの関係を満たす、［１］〜［３］のいずれか一項に記載の収納パッケージ。
［５］前記筒状の芯棒の高さが、積層された紐状物の最も高い積層高さの１００〜１５０％である、［１］〜［４］のいずれか一項に記載の収納パッケージ。
［６］前記紐状物の収納開始端が、少なくとも前記積層された紐状物の最も高い積層高さより高い位置に配置されている、[１]〜[５]のいずれか一項に記載の収納パッケージ。
［７］前記紐状物の収納開始端が前記収納容器の外部へ突出している、 [６]に記載の収納パッケージ。
［８］回転する筒状の収納容器内に紐状物を一定速度で供給しながら、前記収納容器の回転数Ｒ（回転／分）を漸次増加させた後に漸次減少させるか、または、前記回転数Ｒを減少させた後に漸次増加させる、変動パターンを周期的に繰り返して、収納容器に紐状物を収納する方法であって、
前記収納容器が２回転する間に容器内に配置される紐状物同士が交差する箇所を生じさせ、回転数Ｒ（回転／分）の周期的変動の１周期Ｔ（秒）で形成される紐状物の配置軌跡を前記収納容器の回転方向もしくは回転方向の逆方向にずらし、１周期Ｔ（秒）における前記収納容器の平均回転数Ｒa（回転／分）が下記式（１）に示す条件を満たすように、紐状物の供給速度ｖ（ｍ／分）、１周期Ｔ（秒）および前記収納容器の回転数Ｒ（回転／分）を設定する紐状物の収納方法。
Ｒa   ＞  ｖ／Ｌ      （１）
（式（１）において、Ｌ（ｍ）は収納容器の内壁面側の周長である。）
［９］収納容器の回転数Ｒ（回転／分）の変動パターンを、収納容器が１回転する際に形成される紐状物の配置軌跡の一部が、前記収納容器の芯棒外壁近傍と、収納容器の内壁面近傍とを通過するように設定する、［８］に記載の紐状物の収納方法。
［１０］芯棒外壁近傍が前記収納容器の半径と芯棒半径の差の３０％以内の領域であり、かつ、内壁面近傍が前記収納容器の半径と芯棒半径の差の３０％以内の領域である、［９］に記載の紐状物の収納方法。
［１１］Ｒaが、下記式（２）の条件を満たす、［８］〜［１０］のいずれか一項に記載の紐状物の収納方法。
６ｖ／５Ｌ  ＜  Ｒa   ＜  ４ｖ／Ｌ      （２）
［１２］前記紐状物の配置軌跡の曲げ半径Ｒが、Ｌ／４π＜Ｒ＜Ｌ／２πの関係を満たすように設定する、［８］〜［１１］のいずれか一項に記載の紐状物の収納方法。
［１３］回転数Ｒ（回転／分）の周期的変動の１周期Ｔ（秒）で形成される紐状物の配置軌跡の始点と終点の距離をａ（ｍｍ）及び前記紐状物の外径をｄ（ｍｍ）としたときに、ｄ＜ａ＜１０ｄを満たす、［８］〜［１２］のいずれか一項に記載の紐状物の収納方法。
［１４］収納容器の回転数Ｒ（回転／分）の変動パターンを、収納容器が２回転する際に形成される紐状物の配置軌跡が収納容器の回転軸を囲むように設定する、［８］〜［１３］のいずれか一項に記載の紐状物の収納方法。
［１５］Ｒaが、下記式（３）の条件を満たす、［８］〜［１４］のいずれか一項に記載の紐状物の収納方法。
６ｖ／５Ｌ  ＜  Ｒa   ＜  １２ｖ／５Ｌ      （３）
［１６］収納容器の回転数の変動幅をＲｗ（回転／分）としたときに、下記式（４）の条件を満たす、［８］〜［１５］のいずれか一項に記載の紐状物の収納方法。
０．６４Ｒa  ＜  Ｒｗ   ＜  ２Ｒa      （４）
［１７］紐状物を、前記収納容器の上方かつ内壁面付近から前記収納容器に供給する、［８］〜［１６］のいずれか一項に記載の紐状物の収納方法。
［１８］前記紐状物が中空の紐である、［８］〜［１７］のいずれか一項に記載の紐状物の収納方法。
［１９］前記紐状物が中空の編紐である［８］〜［１８］のいずれか一項に記載の紐状物の収納方法。
【国際調査報告】
2011155497.tif 000020
2011155497.tif 000021
2011155497.tif 000022
2011155497.tif 000023
2011155497.tif 000024
2011155497.tif 000025
2011155497.tif 000026